(57)【要約】【課題】捕虫部材を効率よく使用できる捕虫装置を提供する。【解決手段】本発明に係る捕虫装置１は、捕虫部材５１と、支持部４０と、判定部とを備える。捕虫部材５１は、虫を捕捉する捕捉部５１ｃを有する。支持部４０は、捕捉部５１ｃを移動させる。判定部は、捕捉部５１ｃが配置された環境を示す物理量に基づいて、捕捉部５１ｃを移動させるか否かを判定する。更に、送風機１０は、捕捉部５１ｃに対向して配置される。また、捕捉部５１ｃは、粘着面、又は、網状部である。【選択図】図２
2020188728.tif 000002
【特許請求の範囲】
【請求項１】
虫を捕捉する捕捉部を有する捕虫部材と、
前記捕捉部を移動可能に支持する支持部と、
前記捕捉部が配置された環境を示す物理量に基づいて、前記捕捉部を移動させるか否かを判定する判定部とを
備える、捕虫装置。
【請求項２】
前記捕捉部は、粘着面、又は、網状部である、請求項１に記載の捕虫装置。
【請求項３】
前記捕捉部に対向して配置された送風機を更に備え、
前記物理量は、前記送風機による空気の送出量又は送出期間を含む、請求項１又は請求項２に記載の捕虫装置。
【請求項４】
前記物理量は、温度、湿度、埃量、又は、前記虫の発生量の指数を含む、請求項１から請求項３のいずれか１項に記載の捕虫装置。
【請求項５】
前記物理量の大きさに応じて消耗値が割り当てられ、
前記判定部は、前記消耗値の積算値と閾値とを比較して、比較結果に基づいて前記捕捉部を移動させるか否かを判定し、
前記消耗値は、前記捕捉部の捕虫力の消耗を示す、請求項１から請求項４のいずれか１項に記載の捕虫装置。
【請求項６】
前記判定部が前記捕捉部を移動させると判定した場合に、前記捕捉部の移動時期を報知する報知部を更に備える、請求項１から請求項５のいずれか１項に記載の捕虫装置。
【請求項７】
前記支持部を駆動する駆動部と、
前記判定部が前記捕捉部を移動させると判定した場合に、前記支持部が駆動するように、前記駆動部を制御する駆動制御部を更に備える、請求項１から請求項６のいずれか１項に記載の捕虫装置。
【請求項８】
前記捕虫部材は、捕虫シートであり、
前記支持部は、
前記捕虫シートの一端部を回転可能に支持して、前記捕虫シートを巻き取る第１巻取ローラーと、
前記捕虫シートの他端部を回転可能に支持して、前記捕虫シートを送り出す第２巻取ローラーと
を有する、請求項１から請求項７のいずれか１項に記載の捕虫装置。
【発明の詳細な説明】
【技術分野】
【０００１】
本発明は、捕虫装置に関する。
【背景技術】
【０００２】
特許文献１に記載された送風装置は、流入口及び吹出口を有する本体筐体と、捕虫シートとを備える。捕虫シートは、虫を捕獲する。捕虫シートは、粘着面を有する。粘着面は、流入口に配置されている。
【先行技術文献】
【特許文献】
【０００３】
【特許文献１】特開２０１８−４２１２号公報
【発明の概要】
【発明が解決しようとする課題】
【０００４】
使用者は、例えば１週間のような使用期限が経過した後に捕虫シートのような捕虫部材を、新たな捕虫部材に交換している。しかしながら、或る環境によっては、使用期限よりも長い期間で、捕虫部材を使用できる場合があった。
【０００５】
本発明は、上記課題に鑑みてなされたものであり、捕虫部材を効率よく使用できる捕虫装置を提供することを目的としている。
【課題を解決するための手段】
【０００６】
本発明に係る捕虫装置は、捕虫部材と、支持部と、判定部とを備える。前記捕虫部材は、虫を捕捉する捕捉部を有する。前記支持部は、前記捕捉部を移動させる。前記判定部は、前記捕捉部が配置された環境を示す物理量に基づいて、前記捕捉部を移動させるか否かを判定する。
【発明の効果】
【０００７】
本発明に係る捕虫装置によれば、捕虫部材を効率よく使用できる。
【図面の簡単な説明】
【０００８】
【図１】本発明の第１実施形態に係る送風装置の構成の一例を示す斜視図である。
【図２】第１実施形態に係る送風装置の構成の一例を示す断面図である。
【図３】第１実施形態に係るカバー部材を示す前面図である。
【図４】第１実施形態に係る送風装置の構成を示すブロック図である。
【図５】第１実施形態に係る制御部の処理の一例を示すフローチャートである。
【図６】第２実施形態に係る制御部の処理の一例を示すフローチャートである。
【発明を実施するための形態】
【０００９】
以下、本発明の実施形態について、図面を参照しながら説明する。なお、図中、同一又は相当部分については同一の参照符号を付して説明を繰り返さない。本実施形態では、図中に、互いに直交するＸ軸、Ｙ軸及びＺ軸を示す。Ｚ軸は鉛直方向に平行であり、Ｘ軸及びＹ軸は水平方向に平行である。Ｘ軸の正方向は、送風装置１の前面側を示す。
【００１０】
＜第１実施形態＞
まず、図１を参照して、本発明の第１実施形態に係る送風装置１の構成について説明する。図１は、第１実施形態に係る送風装置１の構成の一例を示す斜視図である。図２は、送風装置１の構成の一例を示す断面図である。
【００１１】
図１に示すように、送風装置１は、筐体２、カバー部材３及び捕虫シート５１を備える。送風装置１は、捕虫装置の一例である。捕虫シート５１は、捕虫部材の一例である。送風装置１は、居室内の虫を捕獲する。送風装置１は、例えば、居室内の床面に設置される。虫は、例えば、害虫であり、具体的には、蚊、ハエ、ゴキブリ、ダニ、ノミ、アリ、ハチ、クモ、シラミ又はムカデである。
【００１２】
筐体２は、天板部１２と、底板部１４と、側板１５とを備える。側板１５は、天板部１２と底板部１４との間に配置されている。側板１５の水平断面形状は、例えば、略楕円形を呈する。
【００１３】
図２に示すように、側板１５は、後面パネル１５ａと、前面パネル１５ｂとを有する。後面パネル１５ａは、前面パネル１５ｂと対向して配置される。そして、後面パネル１５ａは、筐体２のＸ軸の負方向側に配置される。本明細書において、Ｘ軸の正方向は、後面パネル１５ａから前面パネル１５ｂに向かう第１方向Ｄ１を示す。また、Ｘ軸の負方向は、第１方向Ｄ１と逆の第２方向Ｄ２を示す。後面パネル１５ａは、流入口２０を有する。流入口２０は、開口である。
【００１４】
カバー部材３の水平断面形状は、例えば、略半楕円形を呈する。カバー部材３は、複数の吸込口４を有する。複数の吸込口４の各々は、開口である。
【００１５】
そして、カバー部材３は、後面パネル１５ａに着脱可能である。例えば、カバー部材３は、係合爪を更に有する。係合爪は、筐体２に設けられた係合孔に係合する。カバー部材３が後面パネル１５ａに装着されたときに、カバー部材３と後面パネル１５ａとの間には、吸込口４と流入口２０とを連通させる捕虫空間２５が形成される。
【００１６】
天板部１２は、底板部１４と対向して配置される。そして、天板部１２は、筐体２の上方側に配置される。天板部１２は、操作表示部６と、吹出口５とを有する。吹出口５は、開口である。以下、本明細書にいて、「上」は、例えば、底板部１４から天板部１２に向かう方向を示す。また、「下」は、例えば、天板部１２から底板部１４に向かう方向を示す。
【００１７】
操作表示部６は、複数のボタンと、表示灯とを有する。そして、操作表示部６は、使用者の操作によって、送風装置１の動作設定を行う。具体的には、操作表示部６は、各ボタンの操作によって送風装置１の駆動オンオフ、及び、送風機１０の風量の変更を指示する。
【００１８】
筐体２は、吸込室７と、吐出室１３と、隔壁１１とを更に備える。隔壁１１は、吸込室７と吐出室１３とを仕切る。吸込室７は、吐出室１３の第２方向Ｄ２側に配置される。
【００１９】
筐体２は、流通路ＲＡを有する。具体的には、吸込室７は、流入口２０を介して筐体２の外部に連通する。吐出室１３は、吹出口５を介して筐体２の外部に連通する。吸込室７と吐出室１３とは、隔壁１１の下部に設けた開口１１ａを経て相互に連通する。流入口２０と吸込室７と開口１１ａと吐出室１３と吹出口５とが、流通路ＲＡに相当する。
【００２０】
まず、吸込室７について詳細に説明する。吸込室７は、プレフィルター８と、集塵フィルター９とを備える。
【００２１】
プレフィルター８は、後面パネル１５ａに対して第１方向Ｄ１側に配置される。プレフィルター８は、矩形の枠８ａと、メッシュ８ｂとを有する。枠８ａは、複数の開口を有し、例えば、ＡＢＳ（ａｃｒｙｌｏｎｉｔｒｉｌｅ  ｂｕｔａｄｉｅｎｅ  ｓｔｙｒｅｎｅ）等の合成樹脂で形成されている。メッシュ８ｂは、例えば、ポリプロピレンで形成され、枠８ａに溶着されている。メッシュ８ｂの目の大きさは、例えば、蚊又はハエのような虫が通過できない大きさである。なお、図２中では、プレフィルター８は、黒色で塗りつぶされて示されている。
【００２２】
集塵フィルター９は、空気中に含有される塵埃を捕集する。集塵フィルター９は、例えば、ＨＥＰＡフィルター（Ｈｉｇｈ  Ｅｆｆｉｃｉｅｎｃｙ  Ｐａｒｔｉｃｕｌａｔｅ  Ａｉｒ  Ｆｉｌｔｅｒ）である。
【００２３】
次に、吐出室１３について詳細に説明する。吐出室１３は、送風機１０を収容する。送風機１０は、捕虫シート５１に対向して配置される。
【００２４】
送風機１０は、ファン１０ｂと、モータ１０ａとを有する。モータ１０ａは、ファン１０ｂを回転させる。詳細には、ファン１０ｂの中心は、モータ１０ａの回転軸に連結される。
【００２５】
ファン１０ｂは、空気が流通路ＲＡを通過するように、気流を発生する。詳細には、ファン１０ｂの回転によって、方向Ｄで示すように、送風装置１の外部からカバー部材３の吸込口４を経て捕虫空間２５へ空気が流入する。方向Ｄは、空気の流れの方向を示す。更に、空気は、後面パネル１５ａの流入口２０を経て吸込室７へ空気が流入する。流入した空気は、吸込室７の内部を第１方向Ｄ１へ流れる。そして、開口１１ａを経由して、空気はファン１０ｂに吸引される。ファン１０ｂによって、空気の進行方向は上方向に変えられる。そして、空気は、吹出口５を経由して送風装置１の外部へ排出される。
【００２６】
筐体２は、突出部２８を更に備える。突出部２８は、後面パネル１５ａの第２方向Ｄ２側の面の上部に配置されている。突出部２８は、誘引光源２１を有する。誘引光源２１は、例えば、虫を誘引する約３６５ｎｍの紫外線を出射する紫外線発光ダイオードである。
【００２７】
捕虫シート５１は、粘着面５１ｃを有する。粘着面５１ｃは、捕捉部の一例である。粘着面５１ｃには、例えば、アクリル酸系の粘着剤が塗布されている。捕虫シート５１は、カバー部材３で覆われる。詳細には、粘着面５１ｃは、流入口２０に対向して配置されている。その結果、吸込口４から進入した虫が、吸込気流により流入口２０に向かって運ばれる際に、捕虫シート５１に捕虫される。
【００２８】
図３を参照して、カバー部材３について説明する。図３は、第１実施形態に係るカバー部材を示す前面図である。図３に示すように、カバー部材３は、支持部４０と、ニオイ発生部７１とを更に備える。
【００２９】
ニオイ発生部７１は、カバー部材３の第１方向Ｄ１側の面の上部に配置されている。ニオイ発生部７１は、虫を誘引する臭気物質を発生する。臭気物質は、例えば、乳酸である。
【００３０】
支持部４０は、粘着面５１ｃを移動可能に支持する。支持部４０は、例えば、第１巻取ローラー４１と、第２巻取ローラー４２とを有する。第１巻取ローラー４１及び第２巻取ローラー４２の各々は、回転軸線ＡＸの回りに回転する。回転軸線ＡＸは、第１方向Ｄ１と交差する方向、かつ、鉛直方向と交差する方向に沿っている。
【００３１】
第１巻取ローラー４１は、カバー部材３の第１方向Ｄ１側の面の上部に配置されている。第１巻取ローラー４１は、捕虫シート５１の一端部を回転可能に支持して、捕虫シート５１を巻取方向Ａ１に巻き取る。
【００３２】
第１巻取ローラー４１には、ハンドル４３が連結される。ハンドル４３は、カバー部材３の開口部３ａを介してカバー部材３の外側に配される。ハンドル４３の回転駆動によって第１巻取ローラー４１が回転し、捕虫シート５１を巻き取ることができる。詳細には、虫が付着した粘着面５１ｃが、第１巻取ローラー４１に巻き取られる。
【００３３】
第２巻取ローラー４２は、カバー部材３の第１方向Ｄ１側の面の下部に配置されている。第２巻取ローラー４２は、捕虫シート５１の他端部を回転可能に支持して、捕虫シート５１を巻取方向Ａ１に送り出す。詳細には、粘着面５１ｃに虫が付着した捕虫シート５１が、第１巻取ローラー４１に巻き取られると、新しい粘着面５１ｃが、プレフィルター８に対向して配置される。
【００３４】
次に、図４を参照して、送風装置１の構成について説明する。図４は、送風装置１の構成を示すブロック図である。図４に示すように、送風装置１は、制御部６０を更に備える。
【００３５】
制御部６０は、処理部６５と、記憶部７０とを備える。記憶部７０は、各種のデータ及びコンピュータープログラムを記憶する。記憶部７０は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及び／又はソリッドステートドライブ（Ｓｏｌｉｄ  Ｓｔａｔｅ  Ｄｒｉｖｅ：ＳＳＤ）によって構成される。記憶部７０は、外部メモリーを含んでもよい。外部メモリーは、リムーバブルメディアである。記憶部７０は、外部メモリーとして、例えば、ＵＳＢ（Ｕｎｉｖｅｒｓａｌ  Ｓｅｒｉａｌ  Ｂｕｓ）メモリー及び／又はＳＤ（Ｓｅｃｕｒｅ  Ｄｉｇｉｔａｌ）カードを含んでもよい。
【００３６】
処理部６５は、ＣＰＵ（Ｃｅｎｔｒａｌ  Ｐｒｏｃｅｓｓｉｎｇ  Ｕｎｉｔ）のようなプロセッサーを含む。処理部６５は、判定部６１、送風機制御部６２及び報知部６３を含む。そして、処理部６５は、記憶部７０に記憶されたコンピュータープログラムを実行することによって、判定部６１、送風機制御部６２及び報知部６３として機能する。
【００３７】
送風機制御部６２は、送風機１０を制御する。詳細には、送風機制御部６２は、操作表示部６のボタンからの入力信号に基づいて、「強」、「中」及び「弱」のうちのいずれかの風量で空気を送風するように、送風機１０を制御する。
【００３８】
判定部６１は、捕虫シート５１が配置された環境を示す物理量に基づいて、粘着面５１ｃを移動させるか否かを判定する。物理量は、例えば、送風機１０による空気の送出量又は送出期間を含む。空気の送出量は、例えば、風量を含む。
【００３９】
例えば、風量「強」で空気を送風するように、送風機１０が制御されたときには、判定部６１は、粘着面５１ｃを移動させると判定する。詳細には、送風装置１の外部から捕虫空間２５へ、風量「強」で空気が流入するため、多数の虫が捕虫空間２５へ流入する。その結果、粘着面５１ｃに多数の虫が付着する。よって、粘着面５１ｃの捕虫力が減少したと判定部６１は判定する。
【００４０】
一方、風量「弱」で空気を送風するように、送風機１０が制御されたときには、判定部６１は、粘着面５１ｃを移動させないと判定する。詳細には、送風装置１の外部から捕虫空間２５へ、風量「弱」で空気が流入するため、少数の虫が捕虫空間２５へ流入する。その結果、粘着面５１ｃに少数の虫が付着する。よって、粘着面５１ｃの捕虫力が維持されていると判定部６１は判定する。
【００４１】
報知部６３は、判定部６１が粘着面５１ｃを移動させると判定した場合に、粘着面５１ｃの移動時期を報知する。例えば、報知部６３は、判定部６１が粘着面５１ｃを移動させると判定した場合に、操作表示部６の表示灯を点滅させる。その結果、使用者は、粘着面５１ｃの移動時期を確認できる。
【００４２】
従って、物理量の大きさに応じて、粘着面５１ｃを移動させるか否かが判定される。その結果、物理量が小さい場合に、粘着面５１ｃが移動しない。よって、捕虫力が残っている粘着面５１ｃを必要以上に移動させることを抑制できる。その結果、使用期限よりも長い期間で、捕虫シート５１を使用できる。よって、捕虫シート５１を効率よく使用できる。一方、物理量が大きい場合に、使用期限よりも短い期間で捕虫シート５１の捕虫力が低下するが、新たな粘着面５１ｃが露出するため、虫を容易に捕獲できる。
【００４３】
更に、空気の送出量又は送出期間の大きさに応じて、粘着面５１ｃを移動させるか否かが判定される。その結果、捕虫力が残っている粘着面５１ｃを必要以上に移動させることを抑制できる。よって、捕虫シート５１を、より効率よく使用できる。
【００４４】
ここで、判定部６１が、粘着面５１ｃを移動させるか否かを判定する方法について更に説明する。第１実施形態では、物理量の大きさに応じて消耗値が割り当てられている。消耗値は、粘着面５１ｃの捕虫力の消耗を示す。記憶部７０は、割当表と、閾値ＴＴとを記憶する。閾値ＴＴは、粘着面５１ｃを移動させる値を示し、例えば、１００である。
【００４５】
割当表は、例えば、風量の大きさと消耗値との関係を示す。割当表は、例えば、風量「強」には、消耗値ＰＡが割り当てられている。消耗値ＰＡは、例えば、１０である。風量「中」には、消耗値ＰＢが割り当てられている。消耗値ＰＢは、例えば、５である。風量「弱」には、消耗値ＰＣが割り当てられている。消耗値ＰＣは、例えば、１である。
【００４６】
判定部６１は、消耗値の積算値ＴＰと閾値ＴＴとを比較して、比較結果に基づいて粘着面５１ｃを移動させるか否かを判定する。例えば、風量「強」で空気を送風するように、送風機１０が制御されたときには、判定部６１は、消耗値の積算値ＴＰに消耗値ＰＡを加算して、新たな積算値ＴＰを算出する。そして、新たな積算値ＴＰが閾値ＴＴ以上であるときには、判定部６１は、粘着面５１ｃを移動させると判定する。
【００４７】
一方、新たな積算値ＴＰが閾値ＴＴ未満であるときには、判定部６１は、粘着面５１ｃを移動させないと判定する。その後、風量「中」で空気を送風するように、送風機１０が制御されたときには、判定部６１は、新たな積算値ＴＰに消耗値ＰＢを加算して、更に新たな積算値ＴＰを算出する。そして、更に新たな積算値ＴＰが閾値ＴＴ以上であるときには、判定部６１は、粘着面５１ｃを移動させると判定する。
【００４８】
従って、積算値ＴＰの大きさに応じて、粘着面５１ｃを移動させるか否かが判定される。その結果、捕虫力が残っている粘着面５１ｃを必要以上に移動させることを抑制できる。よって、捕虫シート５１を、より効率よく使用できる。
【００４９】
次に、図５を参照して、第１実施形態に係る制御部６０の処理について説明する。図５は、制御部６０の処理の一例を示すフローチャートである。
【００５０】
図５に示すように、まず、ステップＳ１０１において、判定部６１は、積算値ＴＰを０とする。
【００５１】
次に、ステップＳ１０２において、判定部６１は、風量が「強」であるか否かを判定する。風量が「強」であると判定部６１が判定した場合（ステップＳ１０２でＹＥＳ）には、処理がステップＳ１０５に進む。
【００５２】
次に、ステップＳ１０５において、判定部６１は、消耗値の積算値ＴＰに消耗値ＰＡを加算して、新たな積算値ＴＰを算出する。
【００５３】
一方、風量が「強」でないと判定部６１が判定した場合（ステップＳ１０２でＮＯ）には、処理がステップＳ１０３に進む。
【００５４】
次に、ステップＳ１０３において、判定部６１は、風量が「中」であるか否かを判定する。風量が「中」であると判定部６１が判定した場合（ステップＳ１０３でＹＥＳ）には、処理がステップＳ１０６に進む。
【００５５】
次に、ステップＳ１０６において、判定部６１は、消耗値の積算値ＴＰに消耗値ＰＢを加算して、新たな積算値ＴＰを算出する。
【００５６】
一方、風量が「中」でないと判定部６１が判定した場合（ステップＳ１０３でＮＯ）には、処理がステップＳ１０４に進む。
【００５７】
次に、ステップＳ１０４において、判定部６１は、送風装置１の運転が停止されたか否かを判定する。停止されていないと判定部６１が判定した場合（ステップＳ１０４でＮＯ）には、処理がステップＳ１０７に進む。
【００５８】
次に、ステップＳ１０７において、判定部６１は、消耗値の積算値ＴＰに消耗値ＰＣを加算して、新たな積算値ＴＰを算出する。
【００５９】
一方、送風装置１の運転が停止されたと判定部６１が判定した場合（ステップＳ１０４でＹＥＳ）には、処理がステップＳ１０８に進む。
【００６０】
次に、ステップＳ１０８において、判定部６１は、積算値ＴＰが閾値ＴＴ以上であるか否かを判定する。積算値ＴＰが閾値ＴＴ以上でないと判定部６１が判定した場合（ステップＳ１０８でＮＯ）には、処理がステップＳ１０２に戻る。
【００６１】
一方、積算値ＴＰが閾値ＴＴ以上であると判定部６１が判定した場合（ステップＳ１０８でＹＥＳ）には、処理がステップＳ１０９に進む。
【００６２】
次に、ステップＳ１０９において、判定部６１は、捕虫シート５１に新たな粘着面５１ｃがあるか否かを判定する。新たな粘着面５１ｃがあると判定部６１が判定した場合（ステップＳ１０９でＹＥＳ）には、処理がステップＳ１１０に進む。
【００６３】
次に、ステップＳ１１０において、報知部６３は、粘着面５１ｃの移動時期を報知する。処理がステップＳ１０１に戻る。
【００６４】
一方、新たな粘着面５１ｃがないと判定部６１が判定した場合（ステップＳ１０９でＮＯ）には、処理がステップＳ１１１に進む。
【００６５】
次に、ステップＳ１１１において、捕虫シート５１の交換時期を報知する。処理がステップＳ１１２に進む。
【００６６】
次に、ステップＳ１１２において、新たな捕虫シート５１と交換されたか否かを判定する。新たな捕虫シート５１と交換されていないと判定した場合（ステップＳ１１２でＮＯ）には、処理がステップＳ１１２に戻る。
【００６７】
一方、新たな捕虫シート５１と交換されたと判定した場合（ステップＳ１１２でＹＥＳ）には、処理がステップＳ１０１に戻る。
【００６８】
＜第２実施形態＞
図６を参照して、本発明の第２実施形態に係る送風装置１の構成について説明する。第２実施形態に係る送風装置１では、閾値ＴＴは固定値であるのに対して、第２実施形態に係る送風装置１では、閾値ＴＴは変更可能である点で相違している。
【００６９】
報知部６３は、変更機能がある場合に、判定部６１が粘着面５１ｃを移動させると判定したときに、閾値ＴＴを変更するかを報知する。変更機能は、閾値ＴＴを変更する機能を示す。例えば、報知部６３は、判定部６１が粘着面５１ｃを移動させると判定した場合に、閾値ＴＴを変更するか否かを示す情報を操作表示部６に表示させる。その結果、使用者は、操作表示部６の操作によって新たな閾値ＴＴに変更する。
【００７０】
次に、図６を参照して、第２実施形態に係る制御部６０の処理について説明する。図６は、制御部６０の処理の一例を示すフローチャートである。
【００７１】
図６に示すように、まず、ステップＳ２０１において、報知部６３は、判定部６１が粘着面５１ｃを移動させると判定した場合に、変更機能があるか否かを判定する。変更機能がないと報知部６３が判定した場合（ステップＳ２０１でＮＯ）には、処理が終了する。
【００７２】
一方、変更機能があると報知部６３が判定した場合（ステップＳ２０１でＹＥＳ）には、処理がステップＳ２０２に進む。
【００７３】
次に、ステップＳ２０２において、新たな閾値ＴＴが入力されたか否かを報知部６３は判定する。新たな閾値ＴＴが入力されていないと報知部６３が判定した場合（ステップＳ２０２でＮＯ）には、処理が終了する。
【００７４】
一方、新たな閾値ＴＴが入力されたと報知部６３が判定した場合（ステップＳ２０１でＹＥＳ）には、処理がステップＳ２０３に進む。
【００７５】
次に、ステップＳ２０３において、報知部６３は入力内容を判定する。閾値ＴＴが大きくなるように、閾値ＴＴが変更されたと報知部６３が判定した場合（ステップＳ２０３で大）には、処理がステップＳ２０４に進む。次に、ステップＳ２０４において、報知部６３は閾値ＴＴを大きくする。
【００７６】
また、閾値ＴＴが小さくなるように、閾値ＴＴが変更されたと報知部６３が判定した場合（ステップＳ２０３で小）には、処理がステップＳ２０５に進む。次に、ステップＳ２０５において、報知部６３は閾値ＴＴを小さくする。
【００７７】
更に、閾値ＴＴが変更されていないと報知部６３が判定した場合（ステップＳ２０３で変更無）には、処理が終了する。
【００７８】
従って、使用者は、粘着面５１ｃの変更時期が適切な時期となるように、閾値ＴＴを変更できる。
【００７９】
＜第３実施形態＞
図４を参照して、本発明の第３実施形態に係る送風装置１の構成について説明する。第３実施形態に係る送風装置１では、報知部６３が粘着面５１ｃの移動時期を報知するのに対して、第３実施形態に係る送風装置１では、制御部６０が粘着面５１ｃを移動させる点で相違している。
【００８０】
図４に示すように、送風装置１は、モータ４４を更に備える。モータ４４は、駆動部の一例である。モータ４４は、筐体２に配置されている。モータ４４は、第１巻取ローラー４１を駆動する。モータ４４の回転軸を形成するシャフトは、前後方向に延び、シャフトの一端部には傘歯車が形成される。第１巻取ローラー４１の一端部には、傘歯車が取り付けられる。そして、カバー部材３を筐体２に取り付けることにより、第１巻取ローラー４１の傘歯車と、モータ４４の傘歯車とが噛合する。モータ４４の回転が第１巻取ローラー４１に伝えられる。
【００８１】
制御部６０は、駆動制御部６４を更に含む。駆動制御部６４は、判定部６１が粘着面５１ｃを移動させると判定した場合に、第１巻取ローラー４１が駆動するように、モータ４４を制御する。
【００８２】
従って、粘着面５１ｃを移動させると判定した場合に、モータ４４が駆動される。その結果、捕虫シート５１が第１巻取ローラー４１に巻き取られるとともに第２巻取ローラー４２から送り出される。よって、手間がかからずに、捕虫シート５１を効率よく使用できる。
【００８３】
＜第４実施形態＞
図４を参照して、本発明の第４実施形態に係る送風装置１の構成について説明する。第１実施形態に係る送風装置１では、判定部６１は、風量に基づいて、粘着面５１ｃを移動させるか否かを判定するのに対して、第３実施形態に係る送風装置１では、判定部６１は、温度、湿度又は埃量に基づいて、粘着面５１ｃを移動させるか否かを判定する点で相違している。
【００８４】
図４に示すように、送風装置１は、温度センサー８１と、湿度センサー８２と、塵埃センサー８３とを更に備える。温度センサー８１と、湿度センサー８２と、塵埃センサー８３とは、筐体２に配置されている。
【００８５】
温度センサー８１は、捕虫空間２５の温度を検知する。湿度センサー８２は、捕虫空間２５の湿度を検知する。塵埃センサー８３は、捕虫空間２５の塵埃を検知する。
【００８６】
第４実施形態では、物理量は、例えば、温度、湿度又は埃量を含む。そして、例えば、温度の大きさに応じて消耗値が割り当てられている。記憶部７０は、割当表と、閾値ＴＴとを記憶する。
【００８７】
割当表は、例えば、温度の大きさと消耗値との関係を示す。割当表は、例えば、温度「３０度以上」には、消耗値ＰＤが割り当てられている。消耗値ＰＤは、例えば、１０である。温度「２５度以上３０度未満」には、消耗値ＰＥが割り当てられている。消耗値ＰＥは、例えば、５である。温度「２５度未満」には、消耗値ＰＦが割り当てられている。消耗値ＰＦは、例えば、１である。
【００８８】
判定部６１は、消耗値の積算値ＴＰと閾値ＴＴとを比較して、比較結果に基づいて粘着面５１ｃを移動させるか否かを判定する。例えば、判定部６１は、温度センサー８１から温度と、湿度センサー８２から湿度と、塵埃センサー８３から埃量とを取得する。その結果、判定部６１は、温度が「３０度以上」であるときには、判定部６１は、消耗値の積算値ＴＰに消耗値ＰＤを加算して、新たな積算値ＴＰを算出する。そして、新たな積算値ＴＰが閾値ＴＴ以上であるときには、判定部６１は、粘着面５１ｃを移動させると判定する。一方、新たな積算値ＴＰが閾値ＴＴ未満であるときには、判定部６１は、粘着面５１ｃを移動させないと判定する。
【００８９】
従って、積算値ＴＰの大きさに応じて、粘着面５１ｃを移動させるか否かが判定される。その結果、温度、湿度又は埃量の積算値ＴＰが小さい場合に、粘着面５１ｃが移動しない。よって、捕虫力が残っている粘着面５１ｃを必要以上に移動させることを抑制できる。その結果、捕虫シート５１の無駄を防止できる。一方、温度、湿度又は埃量の積算値ＴＰが大きい場合に、新たな粘着面５１ｃが露出するため、虫を容易に捕獲できる。よって、捕虫シート５１を効率よく使用できる。
【００９０】
以上、図面を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００９１】
（１）図１〜図６を参照して説明したように、第１実施形態〜第３実施形態では、第１巻取ローラー４１及び第２巻取ローラー４２の回転軸線ＡＸは、第１方向Ｄ１と交差する方向、かつ、鉛直方向と交差する方向に沿っていたが、本発明はこれに限定されない。第１巻取ローラー４１及び第２巻取ローラー４２の回転軸線は、第１方向Ｄ１と交差する方向、かつ、水平方向と交差する方向に沿っていてもよい。
【００９２】
（２）図１〜図６を参照して説明したように、第１実施形態〜第３実施形態では、判定部６１は、風量に基づいて、粘着面５１ｃを移動させるか否かを判定したが、本発明はこれに限定されない。判定部６１は、空気の送出期間に基づいて、粘着面５１ｃを移動させるか否かを判定してもよい。
【００９３】
（３）図１〜図６を参照して説明したように、第４実施形態では、判定部６１は、温度センサー８１から温度と、湿度センサー８２から湿度とを取得したが、本発明はこれに限定されない。判定部６１は、インターネットのような通信部から、地域情報として温度及び湿度を取得してもよい。
【００９４】
（４）図１〜図６を参照して説明したように、第３実施形態では、風量、第４実施形態では、温度、湿度、埃量で説明したが、これらを組み合わせて複合的に消耗値ＰＢ、閾値ＴＴを設定してもよい。また、地域情報として蚊のような虫の発生量の指数を取得してもよい。虫の発生量の指数は、例えば、「多」、「中」又は「少」を示す。
【００９５】
（５）図１〜図６を参照して説明したように、第３実施形態において粘着面５１ｃを捕虫空間２５から移動させる領域は、使用済み領域の全面であってもよく、使用済み領域の一部分であってもよい。
【００９６】
（６）図１〜図６を参照して説明したように、第１実施形態〜第４実施形態では、捕捉部は、粘着面５１ｃであったが、本発明はこれに限定されない。捕捉部は、網状部であってもよい。網状部は、例えば、蚊又はハエのような虫が絡み取られる形状である。
【産業上の利用可能性】
【００９７】
本発明は、捕虫装置を提供するものであり、産業上の利用可能性を有する。
【符号の説明】
【００９８】
１    送風装置
３    カバー部材
１０    送風機
４０    支持部
４１    第１巻取ローラー
４２    第２巻取ローラー
５１    捕虫シート
５１ｃ    粘着面
６１    判定部
６３    報知部
【図１】
2020188728.tif 000003
【図２】
2020188728.tif 000004
【図３】
2020188728.tif 000005
【図４】
2020188728.tif 000006
【図５】
2020188728.tif 000007
【図６】
2020188728.tif 000008